(57)【要約】【課題】感知式パワーサプライの提供。【解決手段】感知式パワーサプライは電源台、外付け感知装置により組成する。該電源台内部には順番に連接インターフェース、オシレーター回路、駆動回路、第一感知ユニットを設置する。しかも該第一感知ユニット内には順番に第一共振回路と第一コイルを含む。該外付け感知装置内部には第二感知ユニットを設置し、しかも該第二感知ユニットは順番に第二コイル、第二共振回路を含み、さらに整流フィルタリング回路、電源管理回路、連接装置を順番に連接する。外付け感知装置を携帯式電子装置に挿入接続する時、しかも携帯式電子装置を電極接点のない電源台上に置き、電源台の第一感知ユニットは電磁感知方式を利用し、交流信号を第二感知ユニットに発し、電力を携帯式電子装置に充電する。連接装置は互換性の高いインターフェースを使用するため、複数の携帯式電子装置を有する時にも、外付け感知装置を購入するだけで、電源台を共用することができ、よってコストを節減することができる。【選択図】図１
0003144849.tif 000002
【実用新案登録請求の範囲】
【請求項１】
電源台、外付け感知装置により組成し、
該電源台は所定の電源コンセントに挿入接続し電力を提供する連接インターフェースを設置し、該連接インターフェースは電力を交流信号を生じる共振回路に伝送し、共振回路は増幅機能を備える駆動回路を備え、駆動回路は交流信号の共振と発生を得ることができる第一感知ユニットをさらに連接し、
該外付け感知装置は電源台が発した交流信号を受信する第二感知ユニットを設置し、第二感知ユニットは交流信号を電力に転換する整流フィルタリング回路を連接し、電力の電圧と電流を調整する電源管理回路を連接し、さらに所定の携帯式電子装置に挿入接続し充電を行う連接装置を連接することを特徴とする感知式パワーサプライ。
【請求項２】
請求項１記載の感知式パワーサプライにおいて、前記外付け感知装置は整流フィルタリング回路と電源管理回路の間に、蓄電機能を備える充電モジュールを設置し、該充電モジュール内には充電回路と蓄電池を順番に連接し、電源管理回路は連接装置を連接し、しかも該連接装置はUSB或いはミニUSB、或いは他の型式の連接装置であることを特徴とする感知式パワーサプライ。
【請求項３】
請求項１記載の感知式パワーサプライにおいて、前記携帯式電子装置はデジカメ、携帯電話、MP3、或いは他の型式のデジタル製品であることを特徴とする感知式パワーサプライ。
【請求項４】
請求項１記載の感知式パワーサプライにおいて、前記電源台の第一感知ユニットは共振を取得する第一共振回路、及び交流信号を発信及び受信する第一コイルを設置し、第一コイルは第一コイルが発する交流信号をフィードバック処理するフィードバック回路を連接し、しかも該フィードバック回路は交流信号を比較分析する第一制御回路を連接することを特徴とする感知式パワーサプライ。
【請求項５】
請求項４記載の感知式パワーサプライにおいて、前記電源台内には信号処理モジュールを設置し、信号処理モジュール内には第一感知ユニットの第一コイルの信号を受信し、RF信号を除去する探知回路を設置し、その探知回路はデータ分析を行う信号処理回路を行い、信号処理回路は信号をエンコード及びデコードするコーダー回路を連接し、しかもコーダー回路は信号をミックスRFとし第一共振回路に伝送するミックス回路を連接し、さらに第一制御回路はデータを伝送することができる連接インターフェースを連接することを特徴とする感知式パワーサプライ。
【請求項６】
請求項１記載の感知式パワーサプライにおいて、前記外付け感知装置の第二感知ユニットは共振を取得する第二共振回路、及び交流信号を発信及び受信する第二コイルを設置し、しかも外付け感知装置の第二感知ユニットには信号処理モジュールを設置し、信号処理モジュール内には第二共振回路の信号を受信し、モジュレート処理を行う信号処理回路を設置し、しかも信号処理回路は媒体データをデータ信号に転換する第二制御回路と調製回路を順番に連接し、第二制御回路をデータを保存するメモリーに連接することを特徴とする感知式パワーサプライ。
【考案の詳細な説明】
【技術分野】
【０００１】
本考案は感知式パワーサプライに関する。特に第一感知ユニットを含む電源台及び第二感知ユニットを含む外付け式感知装置を含み、電源台と外付け式感知装置はコイル磁力感知の伝導方式を利用し、これにより外付け式感知装置を挿入接続する携帯式電子装置は充電を行うことができ、複数の携帯式電子装置がある時には、外付け式感知装置を購入するだけで、その電源コンセントを共用することができるため、購入コストを節約することができる感知式パワーサプライに係る。
【背景技術】
【０００２】
生活環境はデジタル時代に入り、デジカメ、携帯電話、MP3等の各種電子装置は日常生活に溢れている。しかも各種携帯式電子装置、製品はコンパクトで軽量という設計理念へと発展している。
しかし、いかにして随時携帯使用可能とする目的を達成するかには、先ず解決すべき重要な問題がある。それは電源の問題である。一般に最も普及している方式は、携帯式電子装置内に充電電池を設置し、電力を使い切った時には、新たに充電するというものである。しかし、現在人々はみな複数の携帯式電子装置を所有し、各携帯式電子装置はそれぞれ特定の互換性のある充電器を有するため、新しい携帯式電子装置を購入する度に、別に新しい充電器を購入しなければならず、経済上の負担を拡大している。
次に、現在の充電器の使用方式は、充電器の連接インターフェースを利用し電源コンセントに挿入接続し、さらに充電器の連接器を携帯式電子装置に挿入接続するものである。これによりその携帯式電子装置は充電を行うことができ、充電完成後、携帯式電子装置を充電器の連接器から外す。しかし、該充電器は電源コンセントのある場所で使用しなければならず、充電の場所に制限がある。もし屋外で急に充電の必要が生じた場合には、即時に充電することはできない。
【０００３】
前記の充電器は使用時に、以下のようになお多くの欠点が存在する。
１．複数の携帯式電子装置がある時には、各携帯式電子装置はみな特定の互換性のある充電器を有し、各携帯式電子装置は同一の充電器を使用することができないため、複数の充電器を購入しなければならず、経済的な負担が増大する。
２．該充電器は電源コンセントに頼っているため、電源コンセントがなければ、充電器は携帯式電子装置に対して充電を行うことができない。よって充電場所の制限を受け、外出先で急に充電の必要が生じた場合には、即時に充電することはできない。
よって、上記公知構造の欠点をいかにして解決するかは、該産業に関わるメーカーにとって、研究改善の方向の所在である。
【考案の開示】
【考案が解決しようとする課題】
【０００４】
本考案の主な目的は、第一感知ユニットを備える電源台及び第二感知ユニットを備える外付け感知装置を利用し、電源台を電源コンセントに接続する時、電源台の第一感知ユニットは電磁感知方式を利用し、交流信号を第二感知ユニットへと発し、整流フィルタリング回路は交流信号を直流信号に転換し、これにより外付け感知装置を挿入接続する携帯式電子装置は充電を行うことができ、複数の携帯式電子装置を有する時でも、外付け感知装置を購入するだけで、電源台を共用することができ、購入コストを節減することができる。
【０００５】
本考案の次の目的は、外付け感知装置内には蓄電池及び充電回路を含む充電モジュールを設置し、整流フィルタリング回路と電源管理回路の間に設置し、通常は感知式パワーサプライの蓄電池を利用し電力を貯蔵し、外出時に、携帯式電子装置内の充電電池を使い切り、さらに電源コンセントが見つからない時にも、外付け感知装置を携帯式電子装置に挿入接続するだけで、充電を行うことができ、その利便性を拡大する。
【０００６】
本考案の更に別の目的は、ベースバンドハードウエア伝送構造を提供し、該双方向データインターフェースは該クロック回復校正機能ブロックに連接し、該クロック回復校正機能ブロックが設置する受信データクロック修正器により、外から受信する信号のサンプルクロックを回復することができ、同時に該サンプルクロックとローカルクロック同期の機能を備える。
【課題を解決するための手段】
【０００７】
請求項１の考案は、電源台、外付け感知装置により組成し、
該電源台は所定の電源コンセントに挿入接続し電力を提供する連接インターフェースを設置し、該連接インターフェースは電力を交流信号を生じる共振回路に伝送し、共振回路は増幅機能を備える駆動回路を備え、駆動回路は交流信号の共振と発生を得ることができる第一感知ユニットをさらに連接し、
該外付け感知装置は電源台が発した交流信号を受信する第二感知ユニットを設置し、第二感知ユニットは交流信号を電力に転換する整流フィルタリング回路を連接し、電力の電圧と電流を調整する電源管理回路を連接し、さらに所定の携帯式電子装置に挿入接続し充電を行う連接装置を連接することを特徴とする感知式パワーサプライとしている。
請求項２の考案は、請求項１記載の感知式パワーサプライにおいて、前記外付け感知装置は整流フィルタリング回路と電源管理回路の間に、蓄電機能を備える充電モジュールを設置し、該充電モジュール内には充電回路と蓄電池を順番に連接し、電源管理回路は連接装置を連接し、しかも該連接装置はUSB或いはミニUSB、或いは他の型式の連接装置であることを特徴とする感知式パワーサプライとしている。
請求項３の考案は、請求項１記載の感知式パワーサプライにおいて、前記携帯式電子装置はデジカメ、携帯電話、MP3、或いは他の型式のデジタル製品であることを特徴とする感知式パワーサプライとしている。
請求項４の考案は、請求項１記載の感知式パワーサプライにおいて、前記電源台の第一感知ユニットは共振を取得する第一共振回路、及び交流信号を発信及び受信する第一コイルを設置し、第一コイルは第一コイルが発する交流信号をフィードバック処理するフィードバック回路を連接し、しかも該フィードバック回路は交流信号を比較分析する第一制御回路を連接することを特徴とする感知式パワーサプライとしている。
請求項５の考案は、請求項４記載の感知式パワーサプライにおいて、前記電源台内には信号処理モジュールを設置し、信号処理モジュール内には第一感知ユニットの第一コイルの信号を受信し、RF信号を除去する探知回路を設置し、その探知回路はデータ分析を行う信号処理回路を行い、信号処理回路は信号をエンコード及びデコードするコーダー回路を連接し、しかもコーダー回路は信号をミックスRFとし第一共振回路に伝送するミックス回路を連接し、さらに第一制御回路はデータを伝送することができる連接インターフェースを連接することを特徴とする感知式パワーサプライとしている。
請求項６の考案は、請求項１記載の感知式パワーサプライにおいて、前記外付け感知装置の第二感知ユニットは共振を取得する第二共振回路、及び交流信号を発信及び受信する第二コイルを設置し、しかも外付け感知装置の第二感知ユニットには信号処理モジュールを設置し、信号処理モジュール内には第二共振回路の信号を受信し、モジュレート処理を行う信号処理回路を設置し、しかも信号処理回路は媒体データをデータ信号に転換する第二制御回路と調製回路を順番に連接し、第二制御回路をデータを保存するメモリーに連接することを特徴とする感知式パワーサプライとしている。
【考案の効果】
【０００８】
本考案は第一感知ユニットを含む電源コンセント及び第二感知ユニットを含む外付け式感知装置を備え、電源台と外付け式感知装置はコイル磁力感知の伝導方式を利用し、これにより外付け式感知装置を挿入接続する携帯式電子装置は充電を行うことができ、複数の携帯式電子装置がある時には、外付け式感知装置を購入するだけで、その電源コンセントを共用することができるため、購入コストを節約することができる。
【考案を実施するための最良の形態】
【０００９】
本考案第一最適実施例のブロックチャートである図１に示すように、感知式パワーサプライは電源台１、外付け感知装置２により組成する。
該電源台１内には順番に連接インターフェース１１、オシレーター回路１２(周波数調整或いは周波数非調整)、駆動回路１３、第一感知ユニット１４を設置する。しかも該第一感知ユニット１４内には順番に第一共振回路１４１と第一コイル１４２を設置する。
該外付け感知装置２には第二感知ユニット２１を設置し、しかも該第二感知ユニット２１は順番に第二コイル２２、第二共振回路２３を含む。さらに整流フィルタリング回路２４、電源管理回路２６、連接装置２７を順番に連接する。
【００１０】
該電源台１の連接インターフェース１１が作動電力を提供する電源コンセント３に挿入接続すると、電力はオシレーター回路１２により交流信号を生じ、駆動回路１３を通して増幅され、増幅後の交流信号は第一感知ユニット１４の第一共振回路１４１を経て共振を獲得し、第一コイル１４２は交流信号を発する。
該外付け感知装置２の第二感知ユニット２１は第二コイル２２と第二共振回路２３を含む。第二コイル２２が電源台１の第一コイル１４２に接近すると、交流信号を第二共振回路２３へと発し、第二共振回路２３と整流フィルタリング回路２４は交流信号を直流電力に転換し、電源管理回路２６を通して必要な電圧と電流に調整し、連接装置２７を経て携帯式電子装置４へと挿入接続し、電力を携帯式電子装置４に供給し充電を行う。
本考案の連接装置２７はUSB(Universal Serial Bus)或いはミニUSB(Universal Serial Bus ,Mini)等の各種の連接インターフェースである。この種の簡易な修飾及び等価構造変化は、同一原理として本考案の実用新案登録範囲に含むものとする。
【００１１】
本考案第二最適実施例のブロックチャートである図２に示すように、該外付け感知装置２は整流フィルタリング回路２４と電源管理回路２６の間に、蓄電機能を備える充電モジュール２５を設置し、しかも該充電モジュール２５内には充電回路２５１と蓄電池２５２を順番に連接する。第二コイル２２が該電源台１の第一コイル１４２に接近すると、交流信号を第二共振回路２３へと発し、第二共振回路２３と整流フィルタリング回路２４は交流信号を直流電力に転換し、充電モジュール２５の充電回路２５１を利用し充電を行い、電力を充電モジュール２５の蓄電池２５２に貯蔵する。
外出時、電源コンセント３が見つからない時には、携帯式電子装置４は該外付け感知装置２中の蓄電池２５２を利用するだけで、電源管理回路２６を通して必要な電圧と電流を調整し、連接装置２７を経由し携帯式電子装置４へと接続し、充電回路２５１は蓄電池２５２の電力を携帯式電子装置４に供給し充電を行う。こうして電源台１を携帯する必要がなく、また電源コンセント３を探す必要もなく、利便性を拡大することができる。
【００１２】
本考案第三実施例組み立て前の立体図である図３、本考案第四最適実施例の立体図である図４に示すように、電源台１の連接インターフェース１１は電源コンセント３に連接し、該外付け感知装置２を携帯式電子装置４へと挿入接続し、該電源台１上に置く。
該電源台１内には第一共振回路１４１と第一コイル１４２を含む第一感知ユニット１４を有し、該外付け感知装置２内には第二コイル２２と第二共振回路２３を含む第二感知ユニット２１を有する。
該電源台１と該外付け感知装置２が一緒に接触すると、該外付け感知装置２内の連接装置２７を通して、携帯式電子装置４へと充電を行う。
【００１３】
本考案第五最適実施例のブロックチャートであるである図５に示すように、該電源台１の第一コイル１４２とオシレーター回路１２の間には、フィードバック回路１５、第一制御回路１６を順番に連接する。
該連接インターフェース１１が作動電力を提供する電源コンセント３に挿入接続すると、電力はオシレーター回路１２を経て交流信号を発生し、駆動回路１３を通して増幅される。増幅後の交流信号は第一共振回路１４１を経て共振を獲得し、第一コイル１４２を通して交流信号を発する。同時にフィードバック回路１５は交流信号を第一制御回路１６へとフィードバックし、第一制御回路１６を利用し電圧或いは電流を分析し、実際に生じる共振品質を取得し、しかも所定の共振品質と比較し、その差異の程度を求め、同時に、オシレーター回路１２を制御し調整し、最適な共振周波数を発生する。よって、電源台１の生産過程において、別に関連の調整パーツを増設し、インダクター或いはキャパシターの作動性能に対して補償を行う必要はない。その調整パーツは専門の技術人員により煩瑣な調整動作を行う必要があるため、これを省くことで、電源台１の生産効率を向上させることができる。
【００１４】
本考案第六最適実施例のブロックチャートである図６に示すように、該電源台１の第一コイル１４２はさらに信号処理ユニット１７を連接する。該信号処理ユニット１７内には探知回路１７１、信号処理回路１７２、コーダー回路１７３、ミックス回路１７４を連接する。該ミックス回路１７４は第一共振回路１４１に連接し、第一制御回路１６によりコーダー回路１７３及び連接インターフェース１１を連接し、しかも該連接インターフェース１１はデータを伝送可能なUSB(Universal Serial Bus)或いはミニUSB(Universal Serial Bus ,Mini)等の連接インターフェースである。
連接インターフェース１１がデータ信号を第一制御回路１６へと伝送する時、第一制御回路１６は媒体データをデータ信号へと転換し、該コーダー回路１７３は第一制御回路１６の信号を受信し、エンコードする。しかも該ミックス回路１７４は該コーダー回路１７３の信号を受信し、ミックスRF信号を第一共振回路１４１へと伝送し、第一共振回路１４１と第一コイル１４２を通してデータを伝送する。しかも該探知回路１７１は第一コイル１４２の信号を受信し、該探知回路１７１はモジュレーション方式を利用しRF信号を除去し、信号処理回路１７２により探知回路１７１の信号を受信し、分析を行う。コーダー回路１７３は信号処理回路１７２の信号を受信し、該コーダー回路１７３は信号をデコードし第一制御回路１６へと送信する。第一制御回路１６はデコード後の媒体信号を媒体データへと転換し、連接インターフェース１１へと伝送する。
【００１５】
本考案第七最適実施例のブロックチャートである図７に示すように、該外付け感知装置２の第二共振回路２３は信号処理モジュール２８を連接し、しかも信号処理モジュール２８内には信号処理回路２８１、第二制御回路２８２、調製回路２８３を連接する。調製回路２８３は第二共振回路２３を連接し、しかも第二制御回路２８２は整流フィルタリング回路２４を連接する。
第二共振回路２３が信号を信号処理回路２８１へと伝送する時、該信号処理回路２８１は信号をモジュレーション処理し、第二制御回路２８２へと伝送する。しかも第二制御回路２８２はデータ信号を媒体データへと転換し、第二制御回路２８２により信号を連接装置２７へと伝送する。
【００１６】
本考案第六、七最適実施例のブロックチャートである図６、７に示すように、該外付け感知装置２の連接装置２７が携帯式電子装置４に挿入接続し、しかも同時に電源台１の連接インターフェース１１が所定のコンピュータCPUに連接する時、該電源台１の連接インターフェース１１はデータ信号を第一制御回路１６へと伝送する。第一制御回路１６は媒体データをデータ信号へと転換し、コーダー回路１７３は第一制御回路１６の信号を受信しエンコードを行い、しかもミックス回路１７４はコーダー回路１７３の信号を受信し、ミックスRF信号を第一感知ユニット１４へと伝送する。該第一感知ユニット１４は共振感知を利用し、信号を第二感知ユニット２１へと伝送し、第二感知ユニット２１は信号を信号処理ユニット２８１へと伝送し、信号処理回路２８１は信号をモジュレート処理し、第二制御回路２８２へと伝送する。しかも第二制御回路２８２はデータ信号を媒体データへと転換し、第二制御回路２８２により信号を携帯式電子装置４に挿入接続する連接装置２７へと伝送する。これにより携帯式電子装置４はコンピュータCPUのデータを受け取ることができる。
【００１７】
本考案第八最適実施例のブロックチャートである図８に示すように、該外付け感知装置２は信号処理モジュール２８の第二制御回路２８２において、電源管理回路２６と連接装置２７を順番に連接し、しかも第二制御回路２８２はデータアクセス伝送が可能なメモリー２９を連接設置する。これにより、所定のコンピュータに連接する電源台１は、該外付け感知装置２の第二感知ユニット２１を通してデータ伝送を行うことができ、しかも該外付け感知装置２もまた連接装置２７と携帯式電子装置４を通してデータ伝送を行うことができる。
該外付け感知装置２の外形はカード或いはブロック等の形状とすることができる。
【００１８】
上記のように、本考案感知式パワーサプライの実際使用時には、以下の長所を備える。
１．知式パワーサプライは第一コイル１４２を含む電源台１及び第二コイル２２を含む外付け感知装置２を含み、該電源台１が電源コンセント３に挿入接続する時、該電源台１と該外付け感知装置２はコイル磁感知の伝導方式を利用し、外付け感知装置２を挿入接続する携帯式電子装置４は充電を行うことができる。携帯式電子装置４が複数ある時にも、外付け感知装置２を購入するだけでよく、しかも電源台１を共用することができ、購入コストを節約することができる。
２．外付け感知装置２は整流フィルタリング回路２４と電源管理回路２６の間に、充電回路２５１と蓄電池２５２を含む充電モジュール２５を設置し、通常は感知式パワーサプライを利用し充電を行い、蓄電池２５２に電力を貯蔵する。外出時には、携帯式電子装置４内の充電池の電力を使い切ってしまい、電源コンセント３が見つからない時には、外付け感知装置２を携帯式電子装置４に挿入接続するだけで、充電を行うことができ、その利便性を向上させることができる。
３．現在市場で見られる大部分の携帯式電子装置の伝送インターフェースはUSB(Universal Serial Bus)或いはミニUSB(Universal Serial Bus ,Mini)で、該外付け感知装置２の連接装置２７と相同であり、市販されている大部分の携帯式電子装置４に適用することができる。もし他の伝送インターフェースであっても、外付け感知装置２を交換するだけで良く、感知式パワーサプライ全体を交換する必要はないため、その互換性と利便性を拡大することができる。
４．電源台１内にはフィードバック回路１５、第一制御回路１６、オシレーター回路１２を設置し、該フィードバック回路１５は第一共振回路１４１の電圧を第一制御回路１６へと伝送し、第一制御回路１６は電圧を分析し、該オシレーター回路１２により後続の入力交流電圧を調整後、電源台１は最適な共振周波数を発生する。
５．外付け感知装置２の連接装置２７を携帯式電子装置４に挿入接続し、しかも同時に電源台１の連接インターフェース１１を所定のコンピュータCPUに連接する時、電源台１の連接インターフェース１１はデータ信号を第一制御回路１６へと伝送し、第一制御回路１６は媒体データをデータ信号に転換し、コーダー回路１７３とミックス回路１７４はデコードを行い、ミックスRF信号を第一感知ユニット１４へと伝送する。第一感知ユニット１１は共振感知を利用し、信号を第二感知ユニット２１へと伝送し、第二感知ユニット２１は信号を信号処理回路２８１に伝送し、信号処理回路２８１及び第二制御回路２８２は信号をモジュレート処理し、データ信号を媒体データに転換し、第二制御回路２８２に伝送する。第二制御回路２８２により信号を携帯式電子装置に伝送し、こうして携帯式電子装置４はコンピュータCPUのデータを受け取ることができる。
【図面の簡単な説明】
【００１９】
【図１】本考案第一最適実施例のブロックチャートである。
【図２】本考案第二最適実施例のブロックチャートである。
【図３】本考案第三最適実施例組み立て前の立体図である。
【図４】本考案第四最適実施例の立体図である。
【図５】本考案第五最適実施例のブロックチャートである。
【図６】本考案第六最適実施例のブロックチャートである。
【図７】本考案第七最適実施例のブロックチャートである。
【図８】本考案第八最適実施例のブロックチャートである。
【符号の説明】
【００２０】
１  電源台
１１  連接インターフェース
１２  オシレーター回路
１３  駆動回路
１４  第一感知ユニット
１４１  第一共振回路
１４２  第一コイル
１５  フィードバック回路
１６  第一制御回路
１７  信号処理ユニット
１７１  探知回路
１７２  信号処理回路
１７３  コーダー回路
１７４  ミックス回路
２  外付け感知装置
２１  第二感知ユニット
２２  第二コイル
２３  第二共振回路
２４  整流フィルタリング回路
２５  充電モジュール
２５１  充電回路
２５２  蓄電池
２６  電源管理回路
２７  連接装置
２８  信号処理モジュール
２８１  信号処理回路
２８２  第二制御回路
２８３  調製回路
２９  メモリー
３  電源コンセント
４  携帯式電子装置
【図１】
0003144849.tif 000003
【図２】
0003144849.tif 000004
【図３】
0003144849.tif 000005
【図４】
0003144849.tif 000006
【図５】
0003144849.tif 000007
【図６】
0003144849.tif 000008
【図７】
0003144849.tif 000009
【図８】
0003144849.tif 000010
【手続補正書】
【提出日】平成20年7月8日(2008.7.8)
【手続補正１】
【補正対象書類名】明細書
【補正対象項目名】０００２
【補正方法】変更
【補正の内容】
【０００２】
生活環境はデジタル時代に入り、デジカメ（登録商標）、携帯電話、MP3等の各種電子装置は日常生活に溢れている。しかも各種携帯式電子装置、製品はコンパクトで軽量という設計理念へと発展している。
しかし、いかにして随時携帯使用可能とする目的を達成するかには、先ず解決すべき重要な問題がある。それは電源の問題である。一般に最も普及している方式は、携帯式電子装置内に充電電池を設置し、電力を使い切った時には、新たに充電するというものである。しかし、現在人々はみな複数の携帯式電子装置を所有し、各携帯式電子装置はそれぞれ特定の互換性のある充電器を有するため、新しい携帯式電子装置を購入する度に、別に新しい充電器を購入しなければならず、経済上の負担を拡大している。
次に、現在の充電器の使用方式は、充電器の連接インターフェースを利用し電源コンセントに挿入接続し、さらに充電器の連接器を携帯式電子装置に挿入接続するものである。これによりその携帯式電子装置は充電を行うことができ、充電完成後、携帯式電子装置を充電器の連接器から外す。しかし、該充電器は電源コンセントのある場所で使用しなければならず、充電の場所に制限がある。もし屋外で急に充電の必要が生じた場合には、即時に充電することはできない。